(57)【要約】【課題】従来の情報再生装置では、記録層の切り替わり箇所で無効な情報まで先読み処理で読み出しを行ってしまうため、情報の読み出しに要する時間が長くなっていた。【解決手段】読み出し中の記録媒体上の位置を示すアドレスと、記録層の切り替わり発生箇所アドレスとを比較し、その比較結果に基づき、記録媒体からの情報の読み出しを継続するか、情報の読み出しを中断するかを制御するように構成する。【選択図】図１
2006120191.tif 000002
【特許請求の範囲】
【請求項１】
複数の記録層を有する記録媒体にアクセスするアクセス手段と、前記アクセス手段を制御するアクセス制御手段と、前記アクセス手段によって出力された情報に増幅、復調、誤り訂正を行う再生処理手段と、前記再生処理手段によって出力された情報を格納するバッファ手段と、前記バッファ手段に格納された情報からアドレスを読み出して、保持しているアドレスと比較するアドレス比較手段と、前記アドレス比較手段にアドレスを設定し、前記アドレス比較手段によって出力される比較結果に基づき、前記記録媒体からの情報の読み出しを継続するか、中断するかを決定し、前記アクセス制御手段、前記再生処理手段を制御するシステム制御手段とを備えることを特徴とする情報再生装置。
【請求項２】
複数の記録層を有する記録媒体にアクセスするアクセス手段と、前記アクセス手段を制御するアクセス制御手段と、前記アクセス手段によって出力された情報に増幅、復調、誤り訂正を行う再生処理手段と、前記再生処理手段によって出力された情報を格納するバッファ手段と、前記バッファ手段に格納された情報からアドレスを読み出して、保持しているアドレスと比較するアドレス比較手段と、前記アドレス比較手段にアドレスを設定し、前記アドレス比較手段によって出力される比較結果に基づき、前記記録媒体からの情報の読み出しを継続するか、中断して現在情報の読み出しをしている記録層とは異なる記録層に移動するかを決定し、前記アクセス制御手段、前記再生処理手段を制御するシステム制御手段とを備えることを特徴とする情報再生装置。
【請求項３】
複数の記録層を有する記録媒体にアクセスするアクセス手段と、前記アクセス手段を制御するアクセス制御手段と、前記アクセス手段によって出力された情報に増幅、復調、誤り訂正を行う再生処理手段と、前記再生処理手段によって出力された情報を格納するバッファ手段と、前記バッファ手段に格納された情報からアドレスを読み出して、保持しているアドレスと比較するアドレス比較手段と、前記アドレス比較手段にアドレスを設定し、前記アドレス比較手段によって出力される比較結果に基づき、前記記録媒体からの情報の読み出しを継続するか、中断して現在情報の読み出しをしている記録層とは異なる記録層に移動し、情報の読み出しを再開するかを決定し、前記アクセス制御手段、前記再生処理手段を制御するシステム制御手段とを備えることを特徴とする情報再生装置。
【請求項４】
記録媒体上に記録されている記録層移動アドレスを読み出し、アドレス比較手段に設定することを特徴とする請求項１または請求項２または請求項３記載の情報再生装置。
【請求項５】
記録媒体上に記録されている記録層最終記録位置アドレスを読み出し、アドレス比較手段に設定することを特徴とする請求項１または請求項２または請求項３記載の情報再生装置。
【請求項６】
記録媒体上に記録されているユーザー情報連続記録領域の最終アドレスを読み出し、アドレス比較手段に設定することを特徴とする請求項１または請求項２または請求項３記載の情報再生装置。
【請求項７】
複数の記録層を有する記録媒体から情報を読み出して格納するバッファステップと、前記バッファステップに格納された情報からアドレスを読み出して、保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断するかを決定するシステム制御ステップを有することを特徴とする情報再生方法。
【請求項８】
複数の記録層を有する記録媒体から情報を読み出して格納するバッファステップと、前記バッファステップに格納された情報からアドレスを読み出して、保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断して現在情報の読み出しをしている記録層とは異なる記録層に移動するかを決定するシステム制御ステップを有することを特徴とする情報再生方法。
【請求項９】
複数の記録層を有する記録媒体から情報を読み出して格納するバッファステップと、前記バッファステップに格納された情報からアドレスを読み出して、保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断して現在情報の読み出しをしている記録層とは異なる記録層に移動して情報の読み出しを再開するかを決定するシステム制御ステップを有することを特徴とする情報再生方法。
【請求項１０】
記録媒体上に記録されている記録層移動アドレスを読み出し、アドレス比較ステップに設定することを特徴とする請求項７または請求項８または請求項９記載の情報再生方法。
【請求項１１】
記録媒体上に記録されている記録層最終記録位置アドレスを読み出し、アドレス比較ステップに設定することを特徴とする請求項７または請求項８または請求項９記載の情報再生方法。
【請求項１２】
記録媒体上に記録されているユーザー情報連続記録領域の最終アドレスを読み出し、アドレス比較ステップに設定することを特徴とする請求項７または請求項８または請求項９記載の情報再生方法。
【発明の詳細な説明】
【技術分野】
【０００１】
本発明は、複数の記録層を有する記録媒体から情報を読み出す情報再生装置および情報再生方法に関するものである。
【背景技術】
【０００２】
複数の記録層を有する記録媒体から情報を読み出す情報再生装置の従来例として、ハードディスク装置や光ディスク装置があげられる。これらの装置はいずれも情報を読み出す際に、まず記録媒体上の情報を読み出そうとする位置にヘッドあるいは光ピックアップ等のアクセス手段を移動する時間（以下、シーク時間とする）が必要である。一般に、これらの情報再生装置では、シーク時間をできるだけ減らし、情報の読み出しに要する時間を短縮するために、読み出しを要求される可能性が高いと予測される情報をあらかじめ読み出しバッファに格納する処理（以下、先読み処理とする）を実施している。
【０００３】
また、複数の記録層を有する記録媒体から情報を読み出す情報再生装置の従来例として、再生しようとする情報が記録されている記録層に対応してそれぞれ個別のバッファ手段を備えて、読み出し要求された情報が存在する記録層で先読み処理を行い、その層に対応するバッファ手段に情報を格納する情報再生装置などがある（例えば、特許文献１参照。）。
【０００４】
図９は、複数の記録層を有する記録媒体から情報を読み出す従来の情報再生装置のブロック図を示すものである。図９において、従来の情報再生装置は、記録媒体１上の情報を再生しようとする位置にアクセスするアクセス手段２と、アクセス手段２を制御するアクセス制御手段３と、アクセス手段２によって出力された情報に増幅、復調、誤り訂正を行う再生処理手段４と、再生処理手段４によって出力された情報を格納する第１バッファ手段８、第２バッファ手段９と、アクセス制御手段３、再生処理手段４を制御するシステム制御手段７とで構成されている。
【０００５】
このような情報再生装置においては、読み出そうとする情報が存在する記録層を調査し、アクセス制御手段３でアクセス手段２を読み出そうとする情報が存在する記録層、記録位置に移動させ、情報の読み出しを開始し、アクセス手段２から出力される情報に対して再生処理手段３で増幅、復調、誤り訂正等を行い、その出力を読み出している情報の記録層に対応する第１バッファ手段８、あるいは第２バッファ手段９に格納するように制御を行っている。さらに、次に読み出し要求された情報が現在読み出し中の情報が記録されている記録層とは異なる記録層に記録されている場合、先読み処理を中断し、アクセス制御手段３でアクセス手段２を新たに読み出そうとする情報が存在する記録層、記録位置に移動させ、再び情報の読み出しを行い、これまで情報を格納していたバッファ手段とは異なる方のバッファに情報を格納するように制御を行っている。
【０００６】
図１０，図１１は、従来の情報再生装置で複数の記録層を有する記録媒体から情報を読み出す時の動作例を示した図である。図１０、図１１の（ａ）は記録媒体上での記録状態を示しており、数字は読み出し要求される順番を示している。記録媒体の記録層０では内周側から外周側に向かって記録され、記録層１では外周側から内周側に向かって記録されている場合を例に挙げている。また、図１０，図１１の（ｂ）はそれぞれの場合の再生処理動作の状況を時系列に示している。この図１０，図１１を用いながら、従来の情報再生装置の動作について説明する。
【０００７】
従来の情報再生装置で、図１０（ａ）のような記録状態の記録媒体から情報を再生すると、図１０（ｂ）に示すように、まず情報１に対する再生要求を受けて、記録層０上で情報１が記録されている位置までアクセス手段２を移動させ、情報１の読み出しを開始する。情報１の読み出しが完了すれば、情報１の出力を行う。同時に情報の読み出し処理は先読み処理として継続させ、情報２、情報５，情報６が順次先読みされ、記録層０用の第１バッファ手段８に格納される。情報１の出力が完了すると、続けて情報２の再生要求を受けるが、既に記録層０用の第１バッファ手段８に情報２が格納されているので、すぐに情報２の出力を行う。
【０００８】
情報２の出力が完了すると、続けて情報３の再生要求を受ける。情報３は情報１，２とは異なる記録層に記録されているため、記録層０上で行っていた先読み処理を中断し、記録層を移動し、移動後に記録層１内で情報３の記録されている位置まで移動し、情報３の読み出しを開始する。情報３の読み出しが完了すれば、情報３の出力を行う。同時に情報の読み出し処理は先読み処理として継続させ、情報４、情報７，情報８が順次先読みされ、記録層１用の第２バッファ手段９に格納される。情報３の出力が完了すると、続けて情報４の再生要求を受けるが、既に記録層１用の第２バッファ手段９に情報４が格納されているので、すぐに情報４の出力を行う。
【０００９】
情報４の出力が完了すると、続けて情報５の再生要求を受ける。情報５は情報３，４とは異なる記録層に記録されているため、記録層０用の第１バッファ手段８の内容を確認する。既に情報５は記録層０用の第１バッファ手段８に格納されているので、すぐに情報５の出力を行う。同時に、情報５が存在する記録層に移動し、記録層０用の第１バッファ手段８に対する先読み処理を続けるため、情報９の位置に移動し、情報９の読み出しを開始する。情報５の出力が完了すると、続けて情報６の再生要求を受けるが、既に記録層０用の第１バッファ手段８に情報６が格納されているので、すぐに情報６の出力を行う。
【００１０】
図１１（ｂ）についても、記録媒体上での記録状態が異なるだけで動作は同じである。
【００１１】
上述のように、従来の情報再生装置では、同一記録層内の情報の読み出しに関しては、情報が連続記録されている場合には、先読み処理が有効に機能し、シーク時間を短縮することができる。
【００１２】
また、複数の記録層にわたって記録されている情報の読み出しに関しては、図１０（ａ）に示すように読み出そうとする情報が、記録層が頻繁に切り替わって記録されているような状況であれば、最初の記録層の切り替わり箇所では先読み処理が有効に機能しないが、２回目以降の記録層の切り替わり箇所では先読み処理が有効に機能し、シーク時間を短縮することができる。
【特許文献１】特開平１１−１６２６９号公報
【発明の開示】
【発明が解決しようとする課題】
【００１３】
しかしながら、複数の記録層を有する記録媒体に映像や音声情報（以下、ＡＶデータと示す）を記録する場合、再生時のリアルタイム性を強く要求される情報であるために、同一記録層内の記録に関してはできるだけ連続的に記録され、異なる記録層にわたる記録に関しては、できるだけ記録層の切り替わり箇所を少なく、かつ記録層の切り替わり箇所では、記録層の移動のみで、記録層の移動後の記録層内での移動はほとんどない状態で、次の情報位置になるように記録されていることが一般的である。具体的には、図１１（ａ）のような記録状態になる。
【００１４】
従来の情報再生装置では、このようなＡＶデータの読み出しにおいて、同一記録層内の情報の読み出しに関しては、情報が連続記録されている場合には、先読み処理が有効に機能し、シーク時間を短縮することができる。しかし、複数の記録層にわたって記録されている情報の読み出しに関しては、最初の記録層の切り替わり箇所では、先読み処理が有効に機能せず、さらに記録層切り替わり前に先読み処理をしているために、記録層の移動に加えて、記録層移動後の記録層内での移動も増加してしまい、記録層の切り替わり箇所でシーク時間を要してしまうという課題があった。
【００１５】
本発明は、かかる課題を解決し、複数の記録層を有する記録媒体に記録されたＡＶデータを読み出す際に、記録層切り替わり箇所でも、有効に先読みを機能させ、シーク時間を短縮することが可能な情報再生装置を提供することを目的とする。
【課題を解決するための手段】
【００１６】
上記課題を解決するために、本発明の情報再生装置は、複数の記録層を有する記録媒体にアクセスするアクセス手段と、アクセス手段を制御するアクセス制御手段と、アクセス手段によって出力された情報に増幅、復調、誤り訂正を行う再生処理手段と、再生処理手段によって出力された情報を格納するバッファ手段と、バッファ手段に格納された情報からアドレスを読み出して、保持しているアドレスと比較するアドレス比較手段と、アドレス比較手段にアドレスを設定し、アドレス比較手段によって出力される比較結果に基づき、記録媒体からの情報の読み出しを継続するか、中断するかを決定し、アクセス制御手段、再生処理手段を制御するシステム制御手段とを備えて、構成している。
【発明の効果】
【００１７】
本発明は、複数の記録層を有する記録媒体から情報を読み出す情報再生装置および情報再生方法において、情報読み出し時の最初の記録層の切り替わり箇所でも、有効に先読み処理を機能させ、シーク時間を短縮することができる効果がある。
【発明を実施するための最良の形態】
【００１８】
本発明の請求項１に記載の発明は複数の記録層を有する記録媒体にアクセスするアクセス手段と、前記アクセス手段を制御するアクセス制御手段と、前記アクセス手段によって出力された情報に増幅、復調、誤り訂正を行う再生処理手段と、前記再生処理手段によって出力された情報を格納するバッファ手段と、前記バッファ手段に格納された情報からアドレスを読み出して、保持しているアドレスと比較するアドレス比較手段と、前記アドレス比較手段にアドレスを設定し、前記アドレス比較手段によって出力される比較結果に基づき、前記記録媒体からの情報の読み出しを継続するか、中断するかを決定し、前記アクセス制御手段、前記再生処理手段を制御するシステム制御手段とを備えるものである。
【００１９】
請求項２に記載の発明は、複数の記録層を有する記録媒体にアクセスするアクセス手段と、前記アクセス手段を制御するアクセス制御手段と、前記アクセス手段によって出力された情報に増幅、復調、誤り訂正を行う再生処理手段と、前記再生処理手段によって出力された情報を格納するバッファ手段と、前記バッファ手段に格納された情報からアドレスを読み出して、保持しているアドレスと比較するアドレス比較手段と、前記アドレス比較手段にアドレスを設定し、前記アドレス比較手段によって出力される比較結果に基づき、前記記録媒体からの情報の読み出しを継続するか、中断して現在情報の読み出しをしている記録層とは異なる記録層に移動するかを決定し、前記アクセス制御手段、前記再生処理手段を制御するシステム制御手段とを備えるものである。
【００２０】
請求項３に記載の発明は、複数の記録層を有する記録媒体にアクセスするアクセス手段と、前記アクセス手段を制御するアクセス制御手段と、前記アクセス手段によって出力された情報に増幅、復調、誤り訂正を行う再生処理手段と、前記再生処理手段によって出力された情報を格納するバッファ手段と、前記バッファ手段に格納された情報からアドレスを読み出して、保持しているアドレスと比較するアドレス比較手段と、前記アドレス比較手段にアドレスを設定し、前記アドレス比較手段によって出力される比較結果に基づき、前記記録媒体からの情報の読み出しを継続するか、中断して現在情報の読み出しをしている記録層とは異なる記録層に移動し、情報の読み出しを再開するかを決定し、前記アクセス制御手段、前記再生処理手段を制御するシステム制御手段とを備えるものである。
【００２１】
請求項４及び１０に記載の発明は、記録媒体上に記録されている記録層移動アドレスを読み出し、アドレス比較手段に設定するものである。
【００２２】
請求項５及び１１に記載の発明は、記録媒体上に記録されている記録層最終記録位置アドレスを読み出し、アドレス比較手段に設定するものである。
【００２３】
請求項６及び１２に記載の発明は、記録媒体上に記録されているユーザー情報連続記録領域の最終アドレスを読み出し、アドレス比較手段に設定するものである。
【００２４】
請求項７に記載の発明は、複数の記録層を有する記録媒体から情報を読み出して格納するバッファステップと、前記バッファステップに格納された情報からアドレスを読み出して、保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断するかを決定するシステム制御ステップを有するものである。
【００２５】
請求項８に記載の発明は、複数の記録層を有する記録媒体から情報を読み出して格納するバッファステップと、前記バッファステップに格納された情報からアドレスを読み出して、保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断して現在情報の読み出しをしている記録層とは異なる記録層に移動するかを決定するシステム制御ステップを有するものである。
【００２６】
請求項９に記載の発明は、複数の記録層を有する記録媒体から情報を読み出して格納するバッファステップと、前記バッファステップに格納された情報からアドレスを読み出して、保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断して現在情報の読み出しをしている記録層とは異なる記録層に移動して情報の読み出しを再開するかを決定するシステム制御ステップを有するものである。
【００２７】
以下、本発明の実施の形態について図面を参照しながら説明する。
【００２８】
（実施の形態１）
図１に、本発明の実施の形態１における情報再生装置のブロック図を示す。はじめに、図１を参照しながら、実施の形態１の情報再生装置の構成について説明を行う。
【００２９】
１は複数の記録層を有する記録媒体で、ＤＶＤやＣＤに代表される光ディスクや、ハードディスクに相当するが、媒体の種類や形態はこれらに限定されるものではない。少なくとも複数層の記録領域からなるものであればよい。記録媒体１上には映像音声情報などのデータの他に、記録層の切り替わりの可能性があるアドレス情報が記録されている。なお本実施の形態では、記録層の切り替わりの可能性があるアドレス情報を記録してあるが、記録層移動アドレスの情報であっても構わない。また、記録層の切り替わり箇所が記録層の最終位置のみであるような記録状態の記録媒体であれば、記録層の最終記録位置を示すアドレスの情報であっても構わない。さらに、ユーザー情報を連続的に記録している領域が複数存在するような記録状態の記録媒体であれば、記録媒体上に記録されているユーザー情報記録領域の最終入りを示すアドレスの情報であっても構わない。
【００３０】
２は記録媒体１にアクセスするアクセス手段で、例えば記録媒体１が光ディスクの場合は、光ピックアップなどの光学信号読み取り手段で、記録媒体１がハードディスクなどの磁気媒体の場合はヘッドに相当するが、これらに限定されるものではない。
【００３１】
３はアクセス手段２を制御するアクセス制御手段、４はアクセス手段３によって出力された情報に増幅、復調、誤り訂正を行う再生処理手段、５は再生処理手段４によって出力された情報を格納するバッファ手段、６はバッファ手段５に格納された情報の中からアドレスを読み出して、保持しているアドレスと比較するアドレス比較手段である。
【００３２】
７はアドレス比較手段６にアドレスを設定し、アドレス比較手段６によって出力される比較結果に基づき、記録媒体１からの情報の読み出しを継続するか、中断するかを決定し、アクセス制御手段３、再生処理手段４を制御するシステム制御手段７である。
【００３３】
次に、実施の形態１の情報再生装置の動作について説明を行う。図２は実施の形態１の情報再生装置の処理のフローチャートを示す図である。以下の実施の形態１の説明において、図２を用いながら説明する。
【００３４】
まず、アクセス制御手段３，アクセス手段２を制御し、記録媒体１から情報を読み出す準備を行う（図２ステップ１）。次に、記録媒体１から記録層の移動が発生する可能性があるアドレス情報を読み出し、比較アドレスとしてアドレス比較手段６に設定する（図２ステップ２）。
【００３５】
次に、現在情報の読み出し動作中であるかどうかをチェックする（図２ステップ３）。情報読み出し中でなければ、情報読み出し要求が有るかどうかをチェックする（図２ステップ８）。情報読み出し要求がなければ再び情報読み出し中かどうかのチェックを行う（図２ステップ３）。
【００３６】
情報読み出し動作中かどうかのチェック（図２ステップ３）において、情報読み出し動作中と判断した場合、アドレス比較手段６の結果を取得する（図２ステップ４）。次に、アドレス比較手段６の比較結果が一致か不一致かをチェックし（図２ステップ５）、不一致の場合はそのまま情報の読み出しを継続する（図２ステップ６）。比較結果が一致の場合は、記録層の移動が発生する可能性がありと判断し、アクセス制御手段３、再生処理手段４に対して、情報の読み出しを中断するように制御をかけて、情報の読み出しを中断し、その位置で待機する（図２ステップ７）。
【００３７】
情報読み出し要求のチェック（図２ステップ８）において情報読み出し要求有りと判断した場合、読み出し要求された情報がバッファ手段５に格納されているかどうかをチェックする（図２ステップ９）。バッファ手段５に要求された情報が格納されていなければ、アクセス手段３を制御して、アクセス手段２を記録媒体１上の読み出そうとする情報の位置へ移動させる（図２ステップ１０）。次に、移動が完了すると記録媒体１からの情報の読み出しを開始し、アクセス手段２からの出力を再生処理手段４で増幅、復調、エラー訂正を行い、再生処理手段４の出力はバッファ手段５に格納する（図２ステップ１１）。
【００３８】
読み出し要求された情報がバッファ手段５に格納されているかどうかのチェック（図２ステップ９）において、既にバッファ手段５に要求された情報が格納されていた場合、要求された情報をバッファ手段５から出力する（図２ステップ１２）。
【００３９】
次に、バッファ手段５にまだ情報を格納するだけの空きがあるかどうかをチェックし（図２ステップ１３）、空きがなければ、アクセス制御手段３、再生処理手段４に対して、情報の読み出しを中断するように制御をかけて、情報の読み出しを中断し、その位置で待機する（図２ステップ１４）。バッファ手段５に情報を格納するだけの空きがあれば、現在情報の読み出し動作中かどうかをチェックする（図２ステップ１５）。もし、情報の読み出し動作が既に動作中であれば、引き続き情報読み出し動作を継続する（図２ステップ１６）。もし、情報の読み出し動作中でなければ、バッファ手段５に格納されている情報の続きの情報の先読み処理を実行するために、アクセス手段３、再生処理手段４を制御し、バッファ手段５へ先読みした情報を格納する（図２ステップ１７）。
【００４０】
次に、アドレス比較手段６の動作について、図３を用いて説明する。まずバッファ手段４に格納された情報の中からアドレス情報を抽出し（図３ステップ１）、事前に保持していた比較アドレスと一致するかどうか比較し（図３ステップ２）、その比較結果をシステム制御手段７に通知する（図３ステップ３、図３ステップ４）。
【００４１】
次に、図４（ａ）に示すような記録媒体上の記録状態である情報を読み出す場合の実施の形態１の情報再生装置の動作について、図４（ｂ）を用いて説明する。
【００４２】
図４の（ａ）は記録媒体上での記録状態を示しており、数字は読み出し要求される順番を示している。記録媒体の記録層０では内周側から外周側に向かって記録され、記録層１では外周側から内周側に向かって記録されている場合を例に挙げている。また、図４の（ｂ）は再生処理動作の状況を時系列に示している。記録層の切り替わり箇所での動作を中心に説明するため、情報５から読み出し要求されている場合を例に挙げて説明する。
【００４３】
まず、情報の読み出しに先立ち、記録層の切り替わりの可能性があるアドレスをアドレス比較手段６に設定する。
【００４４】
まず情報５に対する読み出し要求を受けて、記録層０上で情報５が記録されている位置までアクセス手段２を移動させ、情報５の読み出しを開始する。情報５の読み出しが完了すれば、情報５の出力を行う。同時に情報の読み出し処理は先読み処理として継続させ、情報６の情報を先読みする。情報６の先読みが完了した時点でアドレス比較手段６から比較一致の結果が出力され、ここで先読み処理を中断し、記録層０の情報６の終了位置付近で待機する。次に、情報６の再生要求を受けるが、既にバッファ手段５に情報６が格納されているので、すぐに情報６の出力を行う。
【００４５】
情報６の出力が完了すると、続けて情報７の再生要求を受ける。情報７は情報５，６とは異なる記録層に記録されているため、記録層０から記録層１へ記録層間を移動する。記録層１上での情報７の開始位置は、記録層０上の情報６の終了位置とほぼ同じであり、先読み処理を記録層０の情報６の終了位置付近で中断待機していたことから、情報７の読み出し開始は、記録層移動後、記録層１内での移動をほとんど行わずに開始することができる。
【００４６】
情報７の読み出しが完了すれば、情報７の出力を行う。同時に情報の読み出し処理は先読み処理として継続させ、情報８、情報９，情報１０と順次先読みされ、バッファ手段５に格納される。情報７の出力が完了すると、続けて情報８の再生要求を受けるが、既にバッファ手段５に情報８が格納されているので、すぐに情報８の出力を行う。
【００４７】
図１１（ｂ）に、同様の記録状態の情報を従来の情報再生装置で読み出した場合の処理状況を示しているが、図１１（ｂ）と比べて、本発明の実施の形態１の情報再生装置では、記録層の切り替わり箇所での層内移動の時間が従来の情報再生装置に比べて、短縮できていることがわかる。すなわち、従来の先読みでは、図１１（ｂ）に示すように記録層０の先読み時、先読みが必要な情報５及び６とともに、先読みが不要な情報Ａ及びＢも先読みしてしまい、無駄な記録層内移動が生じてしまう。これに対して、本実施の形態は、図４に示すように、たとえ記録層０に先読みが不要な情報Ａ及びＢが記録されていたとしても、情報５及び６の先読み後、情報Ａ及びＢにはアクセスせずに記録層１へ移動する。これにより、先読みが必要な情報５及び６のみ先読みすることができ、無駄な記録層内移動を無くすことができる。
【００４８】
以上のように、本実施の形態１によれば、記録層の切り替わりの可能性があるアドレスを事前にアドレス比較手段６に設定しておき、情報読み出し中にアドレス比較手段６で読み出し中のアドレスと設定されたアドレスを比較し、アドレス比較手段６の結果に基づき、比較結果が不一致の場合は記録媒体１からの情報の読み出しを継続し、比較結果が一致の場合は記録媒体１からの情報の読み出しを停止し、その位置で待機するようにシステム制御手段７がアクセス制御手段３，再生処理手段４を制御する。
【００４９】
これにより、複数の記録層を有する記録媒体上で複数の記録層にまたがって記録されている情報を読み出す場合でも、無効な情報に対する先読み処理を実施せず、情報の読み出しに要する時間を短縮することが可能である。
【００５０】
なお、実施の形態１と類似したつぎのような実施の形態も考えられる。
【００５１】
この実施の形態のブロック図は、実施の形態１のブロック図である図１と同じ構成である。この実施の形態では前述の実施の形態１で説明したシステム制御手段７の一部の処理（図２ステップ７）だけが異なるので、この点について図５を参照しながら説明する。図５においてステップ７１以外は図２と同様の動作である。
【００５２】
図５ステップ７１では、アドレス比較手段５の比較結果が一致か不一致かをチェックし（図５ステップ５）、比較結果が一致の場合は、記録層の移動が発生する可能性がありと判断し、アクセス制御手段３、再生処理手段４に対して、情報の読み出しを中断するように制御をかけて、情報の読み出しを中断し、さらにその後異なる記録層の情報読み出しが要求されることを想定し、記録層を移動し、記録層移動後にその位置で待機する（図５ステップ７１）。
【００５３】
この実施の形態で、図４（ａ）に示すような記録媒体上の記録状態である情報を読み出す場合の情報再生装置の動作について、図６（ｂ）を用いて説明する。記録層の切り替わり箇所での動作以外は、前述の実施の形態１の動作と同じである。
【００５４】
情報６の先読みが完了した時点でアドレス比較手段６から比較一致の結果が出力され、ここで先読み処理を中断し、さらに記録層０から記録層１へ記録層の移動を行った後、待機する。情報６の出力が完了すると、続けて情報７の再生要求を受ける。既に記録層１に移動済みであり、記録層１上での情報７の開始位置は、記録層０上の情報６の終了位置とほぼ同じであることから、情報７の読み出し開始は、記録層間の移動、記録層内の移動をほとんど行わずに開始することができる。
【００５５】
これにより、複数の記録層を有する記録媒体上で複数の記録層にまたがって記録されている情報を読み出す場合でも、無効な情報に対する先読み処理を実施せず、情報の読み出しに要する時間を短縮することが可能である。
【００５６】
なお、実施の形態１と類似したつぎのような実施の形態も考えられる。
【００５７】
この実施の形態のブロック図は、実施の形態１のブロック図である図１と同じ構成である。この実施の形態では前述の実施の形態１で説明したシステム制御手段７の一部の処理（図２ステップ７）だけが異なるので、この点について図７を参照しながら説明する。図７においてステップ７２以外は図２と同様の動作である。
【００５８】
図７ステップ７２では、アドレス比較手段５の比較結果が一致か不一致かをチェックし（図７ステップ５）、比較結果が一致の場合は、記録層の移動が発生する可能性がありと判断し、アクセス制御手段３、再生処理手段４に対して、情報の読み出しを中断するように制御をかけて、情報の読み出しを中断し、さらにその後異なる記録層の情報読み出しが要求されることを想定し、記録層を移動し、記録層移動後にその位置から先読み処理を再開する。（図７ステップ７２）。
【００５９】
この実施の形態で、図４（ａ）に示すような記録媒体上の記録状態である情報を読み出す場合の情報再生装置の動作について、図８（ｂ）を用いて説明する。記録層の切り替わり箇所での動作以外は、前述の実施の形態１の動作と同じである。
【００６０】
情報６の先読みが完了した時点でアドレス比較手段６から比較一致の結果が出力され、ここで先読み処理を中断し、さらに記録層０から記録層１へ記録層の移動を行った後、情報の先読みを再開する。情報６の出力が完了すると、続けて情報７の再生要求を受ける。既に記録層１に移動済みであり、さらに情報７からの先読みを実施して、バッファ手段５に情報７が格納されていることから、情報７の再生要求と同時に、情報７の出力を行うことができる。
【００６１】
これにより、複数の記録層を有する記録媒体上で複数の記録層にまたがって記録されている情報を読み出す場合でも、無効な情報に対する先読み処理を実施せず、情報の読み出しに要する時間を短縮することが可能である。
【００６２】
なお、本実施の形態では、記録媒体の記録層が２層である場合を例に挙げて説明したが、記録層の数が２以上の任意の整数であっても同様に実施可能であることはいうまでもない。
【００６３】
なお、本実施の形態では、記録層の切り替わりの可能性があるアドレスをアドレス比較手段６に設定する場合を例に挙げて説明したが、記録媒体上に記録されている記録層移動アドレスを設定しても同様に動作することは言うまでもない。
【００６４】
なお、記録層の切り替わり箇所が記録層の最終位置のみであるような記録状態の記録媒体から情報を読み出す場合には、記録媒体上に記録されている記録層の最終記録位置を示すアドレスをアドレス比較手段６に設定しても同様に動作することは言うまでもない。
【００６５】
なお、ユーザー情報を連続的に記録している領域が複数存在するような記録状態の記録媒体から情報を読み出す場合には、記録媒体上に記録されているユーザー情報記録領域の最終入りを示すアドレスをアドレス比較手段６に設定しても同様に動作することは言うまでもない。
【００６６】
（実施の形態2）
次に、本発明の実施の形態２における情報再生方法について説明する。本実施の形態の情報再生方法は、複数の記録層を有する記録媒体から情報を読み出して格納するバッファステップと、前記バッファステップに格納された情報からアドレスを読み出して保持しているアドレスと比較するするアドレス比較ステップと、前記アドレス比較ステップにアドレスを設定し、前記アドレス比較ステップによって出力される比較結果に基づき、前記記録媒体からの情報の読み出しを継続するか、中断するかを決定するシステム制御ステップとを有している。
【００６７】
まず、バッファステップの動作について説明する。バッファステップは記録媒体から読み出された情報を増幅、復調、エラー訂正を行った後に格納するステップであり、アドレス比較ステップ、システム制御ステップからこれらの情報を読み出しすることが可能である。
【００６８】
次に、アドレス比較ステップに動作について示した図が図３である。図３の動作については、前述の実施の形態１で説明した動作と同様である。
【００６９】
次に、システム制御ステップの動作について示した図が図２である。図２の動作については、前述の実施の形態１で説明した動作と同様である。
【００７０】
次に、図４（ａ）に示すような記録媒体上の記録状態である情報を読み出す場合の実施の形態２の情報再生方法の動作について示した図が、図４（ｂ）である。動作については、前述の実施の形態１で説明した動作と同様である。
【００７１】
以上のように本実施の形態２によれば、記録層の切り替わりの可能性があるアドレスを事前にアドレス比較ステップに設定しておき、情報読み出し中にアドレス比較ステップで読み出し中のアドレスと設定されたアドレスを比較し、アドレス比較ステップの結果に基づき、比較結果が不一致の場合は記録媒体からの情報の読み出しを継続し、比較結果が一致の場合は記録媒体からの情報の読み出しを停止し、その位置で待機するようにシステム制御ステップが制御する。
【００７２】
これにより、複数の記録層を有する記録媒体上で複数の記録層にまたがって記録されている情報を読み出す場合でも、無効な情報に対する先読み処理を実施せず、情報の読み出しに要する時間を短縮することが可能である。
【００７３】
なお、実施の形態２と類似したつぎのような実施の形態も考えられる。
【００７４】
この実施の形態では前述の実施の形態２で説明したシステム制御ステップの一部の処理（図２ステップ７）だけが異なる。図５においてステップ７１以外は図２と同様の動作である。
【００７５】
図５ステップ７１では、アドレス比較ステップの比較結果が一致か不一致かをチェックし（図５ステップ５）、比較結果が一致の場合は、記録層の移動が発生する可能性がありと判断し、情報の読み出しを中断し、さらにその後異なる記録層の情報読み出しが要求されることを想定し、記録層を移動し、記録層移動後にその位置で待機する（図５ステップ７１）。
【００７６】
この実施の形態で、図４（ａ）に示すような記録媒体上の記録状態である情報を読み出す場合の情報再生方法の動作について示したものが、図６（ｂ）である。動作については、前述の実施の形態１で説明した動作と同様である。
【００７７】
これにより、複数の記録層を有する記録媒体上で複数の記録層にまたがって記録されている情報を読み出す場合でも、無効な情報に対する先読み処理を実施せず、情報の読み出しに要する時間を短縮することが可能である。
【００７８】
なお、実施の形態２と類似したつぎのような実施の形態も考えられる。
この実施の形態では前述の実施の形態２で説明したシステム制御ステップの一部の処理（図２ステップ７）だけが異なる。図７においてステップ７２以外は図２と同様の動作である。
【００７９】
図７ステップ７２では、アドレス比較ステップの比較結果が一致か不一致かをチェックし（図７ステップ５）、比較結果が一致の場合は、記録層の移動が発生する可能性がありと判断し、情報の読み出しを中断し、さらにその後異なる記録層の情報読み出しが要求されることを想定し、記録層を移動し、記録層移動後にその位置から先読み処理を再開する。（図７ステップ７２）。
【００８０】
この実施の形態で、図４（ａ）に示すような記録媒体上の記録状態である情報を読み出す場合の情報再生方法の動作について示したものが、図８（ｂ）である。動作については、前述の実施の形態１で説明した動作と同様である。
【００８１】
これにより、複数の記録層を有する記録媒体上で複数の記録層にまたがって記録されている情報を読み出す場合でも、無効な情報に対する先読み処理を実施せず、情報の読み出しに要する時間を短縮することが可能である。
【００８２】
なお、本実施の形態では、記録媒体の記録層が２層である場合を例に挙げて説明したが、記録層の数が２以上の任意の整数であっても同様に実施可能であることはいうまでもない。
【００８３】
なお、本実施の形態では、記録層の切り替わりの可能性があるアドレスをアドレス比較ステップに設定する場合を例に挙げて説明したが、記録媒体上に記録されている記録層移動アドレスを設定しても同様に動作することは言うまでもない。
【００８４】
なお、記録層の切り替わり箇所が記録層の最終位置のみであるような記録状態の記録媒体から情報を読み出す場合には、記録媒体上に記録されている記録層の最終記録位置を示すアドレスをアドレス比較ステップに設定しても同様に動作することは言うまでもない。
【００８５】
なお、ユーザー情報を連続的に記録している領域が複数存在するような記録状態の記録媒体から情報を読み出す場合には、記録媒体上に記録されているユーザー情報記録領域の最終入りを示すアドレスをアドレス比較ステップに設定しても同様に動作することは言うまでもない。
【産業上の利用可能性】
【００８６】
本発明の情報再生装置および情報再生方法は、複数の記録層を有する記録媒体上で複数の記録層にまたがって記録されている情報を読み出す場合でも、無効な情報に対する先読み処理を実施せず、情報の読み出しに要する時間を短縮することができ有用である。
【図面の簡単な説明】
【００８７】
【図１】本発明の実施の形態１の情報再生装置のブロック図
【図２】本発明の実施の形態１のシステム制御手段あるいは実施の形態２のシステム制御ステップの処理手順を示すフローチャート
【図３】本発明の実施の形態１のアドレス比較手段あるいは実施の形態２のアドレス比較ステップの処理手順を示すフローチャート
【図４】本発明の実施の形態１の情報再生装置および実施の形態２の情報再生装置の動作を説明する模式図
【図５】本発明の実施の形態１のシステム制御手段あるいは実施の形態２のシステム制御ステップの処理手順を示すフローチャート
【図６】本発明の実施の形態１の情報再生装置および実施の形態２の情報再生装置の動作を説明する模式図
【図７】本発明の実施の形態１のシステム制御手段あるいは実施の形態２のシステム制御ステップの処理手順を示すフローチャート
【図８】本発明の実施の形態１の情報再生装置および実施の形態２の情報再生装置の動作を説明する模式図
【図９】従来の情報再生装置のブロック図
【図１０】従来の情報再生装置の動作を説明する模式図
【図１１】従来の情報再生装置の動作を説明する模式図
【符号の説明】
【００８８】
１    記録媒体
２    アクセス手段
３    アクセス制御手段
４    再生処理手段
５    バッファ手段
６    アドレス比較手段
７    システム制御手段
８    第１バッファ手段
９    第２バッファ手段
【図１】
2006120191.tif 000003
【図２】
2006120191.tif 000004
【図３】
2006120191.tif 000005
【図４】
2006120191.tif 000006
【図５】
2006120191.tif 000007
【図６】
2006120191.tif 000008
【図７】
2006120191.tif 000009
【図８】
2006120191.tif 000010
【図９】
2006120191.tif 000011
【図１０】
2006120191.tif 000012
【図１１】
2006120191.tif 000013